(57)【要約】【課題】本発明は、オゾン濃度検出装置等を用いない簡易な構成で、ブレーカーによる通電の遮断や停電の発生で室内のオゾン濃度が人体に対して有害なレベルにまで上昇するのを防止する空調装置を提供することを課題とする。【解決手段】上記課題を解決するため、本発明は、設置された室内の空気の状態を調整する空調装置１であって、前記室内を殺菌するオゾンを発生するオゾン発生手段１２と、電力の供給が開始された場合に前記オゾン発生手段１２によるオゾンの発生を所定時間制限する制御手段１７とを備えることを特徴とした。【選択図】図４
2009058155.tif 000002
【特許請求の範囲】
【請求項１】
設置された室内の空気の状態を調整する空調装置であって、
前記室内を殺菌するオゾンを発生するオゾン発生手段と、
電力の供給が開始された場合に前記オゾン発生手段によるオゾンの発生を所定時間制限する制御手段とを備えることを特徴とする空調装置。
【請求項２】
空気を加熱する加熱手段と、
空気を室内に供給する送風手段と、
前記加熱手段または加熱手段近傍の温度を検知する温度検知手段とをさらに備え、
前記制御手段は、前記加熱手段によって加熱された空気とともに前記オゾン発生手段で発生したオゾンを室内に供給し、前記温度検知手段の検知温度が所定の制限温度よりも低い場合にオゾンの発生の制限を解除することを特徴とした請求項１に記載の空調装置。
【請求項３】
設置された室内の空気の状態を調整する空調装置であって、
前記室内を殺菌するオゾンを発生するオゾン発生手段と、
空気を加熱する加熱手段と、
空気を室内に供給する送風手段と、
前記加熱手段または加熱手段近傍の温度を検知する温度検知手段と、
前記加熱手段において加熱された空気とともに前記オゾン発生手段で発生したオゾンを室内に供給し、電力の供給が開始された場合に前記温度検知手段の検知温度が所定の制限温度よりも高いことを条件に前記オゾン発生手段におけるオゾンの発生を制限する制御手段とを備えることを特徴とする空調装置。
【請求項４】
設置された室内の空気の状態を調整する空調装置であって、
前記室内を殺菌するオゾンを発生するオゾン発生手段と、
前記オゾン発生手段の駆動中にエネルギーを蓄え、オゾン発生手段の停止後にエネルギーを放出する蓄積部と、
前記蓄積部を有し、オゾン発生手段におけるオゾンの発生が停止された時点から一定の時間を計時する計時手段と、
前記計時手段が所定の一定時間を計時するまで、前記オゾン発生手段によるオゾンの発生を制限する制御手段とを備えることを特徴とする空調装置。
【請求項５】
前記蓄積部は、前記オゾン発生手段の駆動中に蓄電し、オゾン発生手段の停止後に放電するコンデンサであり、
計時手段は、前記コンデンサを有し、オゾン発生手段におけるオゾンの発生が停止された時点から時間の経過に合わせて出力電圧が低下するタイマー回路であることを特徴とする請求項４に記載の空調装置。
【請求項６】
空気を加熱する加熱手段と、
前記加熱手段または加熱手段近傍の温度を検知する温度検知手段とをさらに備え、
前記制御手段は、オゾン発生の制限が解除された後、温度検知手段の検知温度が加熱手段の加熱によって所定のオゾン発生温度よりも高くなった場合に、前記オゾン発生手段からオゾンを発生させることを特徴とする請求項１，４，５のいずれかに記載の空調装置。
【請求項７】
前記制御手段は、オゾン発生の制限が解除された後、温度検知手段の検知温度が加熱手段の加熱によって所定のオゾン発生温度よりも高くなった場合に、前記オゾン発生手段からオゾンを発生させることを特徴とする請求項２又は３に記載の空調装置。
【請求項８】
空気を加熱する加熱手段と、
前記加熱手段または加熱手段近傍の温度を検知する温度検知手段と、
空気を室内に供給する送風手段とをさらに備え、
前記制御手段は、オゾン発生の制限が解除された後、温度検知手段の検知温度が所定のオゾン供給温度よりも低い場合に、前記送風手段による空気の供給を停止させることを特徴とする請求項１，４，５のいずれかに記載の空調装置。
【請求項９】
前記制御手段は、オゾン発生の制限が解除された後、温度検知手段の検知温度が所定のオゾン供給温度よりも低い場合に、前記送風手段による空気の供給を停止させることを特徴とする請求項２，３，６，７のいずれかに記載の空調装置。
【請求項１０】
設置場所が、浴室、脱衣所およびトイレのいずれかであることを特徴とする請求項１〜９のいずれかに記載の空調装置。
【発明の詳細な説明】
【技術分野】
【０００１】
本発明は、オゾン発生手段を備えた空調装置に関するものである。
【背景技術】
【０００２】
オゾンは、強力な酸化力を有しており、殺菌、脱臭、漂白等の効果に優れている。また電気があれば空気中の酸素を原料にして容易に生成することができ、生成後は化学変化で自然に分解して酸素に戻るため残留性がない。
【０００３】
このようなオゾンの性質を利用して、浴室やトイレ等の衛生的であることが求められる空間内にオゾンを供給し、空間内を殺菌・消臭する空調装置が提案されている。例えば特許文献１には、オゾンの殺菌作用によって、浴室内に浮遊しているかび菌等を分解除去し、浴室内におけるかびの発生を阻止するためにオゾン発生ユニットを搭載した浴室暖房換気乾燥機が開示されている。
【特許文献１】特開２００４−２８４４９号公報
【発明の開示】
【発明が解決しようとする課題】
【０００４】
上記空調装置では、オゾンが室内に供給されて室内のオゾン濃度がある程度高められた状態において、ブレーカーによる通電の遮断や停電の発生等で、空調装置への電力の供給が一時的に中断される事態が想定される。このような場合、換気やオゾンの自然分解によって室内のオゾン濃度が低下する前に、電力の供給が再開されて再びオゾンが室内に供給されたのでは、室内のオゾン濃度が人体に対して有害なレベルにまで上昇してしまうおそれがある。
【０００５】
このような事態を防止する方法として、殺菌する空間のオゾン濃度を監視するオゾン濃度検出装置や、オゾン発生のスケジュールを記憶した不揮発性メモリを用いて室内のオゾン濃度を制御しながらオゾンを発生する方法や、バックアップ電源を用いて停電に備える方法がある。
【０００６】
しかしオゾン濃度検出装置、不揮発性メモリ、及びバックアップ電源等を用いると装置の構成が複雑になるという問題があった。
【０００７】
そこで本発明は、オゾン濃度検出装置等を用いない簡易な構成で、ブレーカーによる通電の遮断や停電の発生で室内のオゾン濃度が人体に対して有害なレベルにまで上昇するのを防止する空調装置を提供することを課題とする。
【課題を解決するための手段】
【０００８】
上記課題を解決するため、請求項１の空調装置は、設置された室内の空気の状態を調整する空調装置であって、前記室内を殺菌するオゾンを発生するオゾン発生手段と、電力の供給が開始された場合に前記オゾン発生手段によるオゾンの発生を所定時間制限する制御手段とを備えることを特徴とした。
【０００９】
請求項１の空調装置は、電力の供給が断たれる前に室内のオゾン濃度が高い状態であっても、電力の供給が再開された後、所定時間内だけオゾンの発生を制限する。この所定時間内に、換気やオゾンが自然に分解することによって、室内のオゾン濃度は低下する。即ち、請求項１の空調装置は、室内のオゾン濃度が低下するまで、オゾンの発生を制限する。したがって請求項１の空調装置は、オゾン濃度検出装置等を用いることなく、室内のオゾン濃度が人体に対して危険なレベルにまで上昇するのを防止することができる。
【００１０】
ここでオゾンの発生を制限する手法としては、オゾン発生手段の停止、オゾン発生量の抑制等が挙げられる。
【００１１】
オゾンの殺菌等の効果は、高温であるほど大きいとされる。そのためオゾンは、高温の空気とともに室内に供給されることが望ましい。
【００１２】
かかる知見に基づき提供される請求項２の空調装置は、請求項１の空調装置において、空気を加熱する加熱手段と、空気を室内に供給する送風手段と、前記加熱手段または加熱手段近傍の温度を検知する温度検知手段とをさらに備え、制御手段は、前記加熱手段によって加熱された空気とともに前記オゾン発生手段で発生したオゾンを室内に供給し、前記温度検知手段の検知温度が所定の制限温度よりも低い場合にオゾンの発生の制限を解除することを特徴とした。
【００１３】
これにより請求項２の空調装置は、加熱された高温の空気とともにオゾンを室内に供給することができ、オゾンの殺菌等の効果を向上させることができる。
【００１４】
また電力の供給が再開された後において、加熱手段または加熱手段近傍の温度が低い場合、電力の供給が断たれる前に行なわれたオゾンの発生からは、充分に時間が経過しているものと推定される。そのため請求項２の空調装置は、電力の供給が開始された後における温度検知手段の検知温度が所定の制限温度よりも低い場合には、前回のオゾンの発生から充分に時間が経過しており室内のオゾン濃度は低下しているとみなして、所定時間内であってもオゾン発生の制限を解除できることとした。
【００１５】
これにより、請求項２の空調装置は、オゾンの発生が必要以上に長期間制限されるのを防止することができる。また空調装置を設置して、試運転によってオゾンの発生を確認したい場合などは、加熱手段の温度が低いため直ちにオゾンを発生させることができる。
【００１６】
請求項３の空調装置は、設置された室内の空気の状態を調整する空調装置であって、前記室内を殺菌するオゾンを発生するオゾン発生手段と、空気を加熱する加熱手段と、空気を室内に供給する送風手段と、前記加熱手段または加熱手段近傍の温度を検知する温度検知手段と、前記加熱手段において加熱された空気とともに前記オゾン発生手段で発生したオゾンを室内に供給し、電力の供給が開始された場合に前記温度検知手段の検知温度が所定の制限温度よりも高いことを条件に前記オゾン発生手段におけるオゾンの発生を制限する制御手段とを備えることを特徴とした。
【００１７】
これにより請求項３の空調装置は、高温の空気とともにオゾンを室内に供給することができ、オゾンの殺菌等の効果を向上させることができる。
【００１８】
また請求項３の空調装置では、温度検知手段の検知温度が所定の制限温度よりも高い場合には、前回のオゾンの発生から充分に時間が経過しておらず、室内のオゾン濃度は未だ高い状態にあるとみなされ、オゾン発生手段によるオゾンの発生が制限される。したがって請求項３の空調装置においては、室内のオゾン濃度が高い間はオゾンが室内に供給されないため、室内のオゾン濃度が人体にとって有害なレベルにまでは上昇しない。
【００１９】
請求項４の空調装置は、設置された室内の空気の状態を調整する空調装置であって、前記室内を殺菌するオゾンを発生するオゾン発生手段と、前記オゾン発生手段の駆動中にエネルギーを蓄え、オゾン発生手段の停止後にエネルギーを放出する蓄積部と、前記蓄積部を有し、オゾン発生手段におけるオゾンの発生が停止された時点から一定の時間を計時する計時手段と、前記計時手段が所定の一定時間を計時するまで、前記オゾン発生手段によるオゾンの発生を制限する制御手段とを備えることを特徴とした。
【００２０】
請求項４の空調装置は、オゾン発生手段におけるオゾンの発生が停止した後、計時手段が所定の一定時間を計時するまでオゾンの発生を制限する。この時間内に、換気やオゾンが自然に分解することによって、室内のオゾン濃度は低下する。即ち請求項４の空調装置は、室内のオゾン濃度が低下するまでオゾンの発生が制限される。したがって請求項４の空調装置は、オゾン濃度検出装置等を用いることなく、室内のオゾン濃度が人体に対して有害なレベルにまで上昇するのを防止することができる。
【００２１】
また蓄積部を用いた計時手段によって時間が計測されるため、空調装置への電力の供給が断たれた後であっても時間の計測が可能である。加えて、オゾン発生の停止時を時間計測の始点とするため、室内のオゾン濃度が安全な濃度にまで低下するまでの時間を正確に計測することができ、オゾンの発生が必要以上に制限されるおそれがない。
【００２２】
請求項５の空調装置は、請求項４の空調装置において、蓄積部が、前記オゾン発生手段の駆動中に蓄電し、オゾン発生手段の停止後に放電するコンデンサであり、計時手段が、前記コンデンサを有し、オゾン発生手段におけるオゾンの発生が停止された時点から時間の経過に合わせて出力電圧が低下するタイマー回路であることを特徴とした。
【００２３】
これにより請求項５の空調装置は、オゾンの発生が制限される時間を電気的に容易に計時することができる。
【００２４】
また上述のようにオゾンは、高温であるほど殺菌等の効果が大きいとされる。
【００２５】
このような知見に基づき提供される請求項６の空調装置は、請求項１，４，５のいずれかに記載の空調装置において、空気を加熱する加熱手段と、前記加熱手段または加熱手段近傍の温度を検知する温度検知手段とをさらに備え、前記制御手段は、オゾン発生の制限が解除された後、温度検知手段の検知温度が加熱手段の加熱によって所定のオゾン発生温度よりも高くなった場合に、前記オゾン発生手段からオゾンを発生させることを特徴とした。
【００２６】
同様に請求項７の空調装置は、請求項２又は３に記載の空調装置において、前記制御手段は、オゾン発生の制限が解除された後、温度検知手段の検知温度が加熱手段の加熱によって所定のオゾン発生温度よりも高くなった場合に、前記オゾン発生手段からオゾンを発生させることを特徴とした。
【００２７】
請求項６および請求項７の空調装置は、加熱手段によって加熱された空気が所定のオゾン発生温度よりも高くなった場合にのみオゾンを発生させて室内に供給する。そのため請求項６の空調装置は、殺菌等の効果を充分に発揮できる状態でオゾンを室内に供給することができる。
【００２８】
また請求項６の発明と同一の知見に基づき提供される請求項８の空調装置は、請求項１，４，５のいずれかに記載の空調装置において、空気を加熱する加熱手段と、前記加熱手段または加熱手段近傍の温度を検知する温度検知手段と、空気を室内に供給する送風手段とをさらに備え、前記制御手段は、オゾン発生の制限が解除された後、温度検知手段の検知温度が所定のオゾン供給温度よりも低い場合に、前記送風手段による空気の供給を停止させることを特徴とした。
【００２９】
同様に請求項９の空調装置は、請求項２，３，６，７のいずれかに記載の空調装置において、前記制御手段は、オゾン発生の制限が解除された後、温度検知手段の検知温度が所定のオゾン供給温度よりも低い場合に、前記送風手段による空気の供給を停止させることを特徴とした。
【００３０】
請求項８および請求項９の空調装置は、加熱手段によって加熱された空気が所定のオゾン供給温度よりも低い場合、オゾンによる殺菌等の効果が充分に発揮されないものとみなして、送風手段による室内へのオゾンの提供を停止する。したがって請求項８および請求項９の空調装置は、オゾンが充分に効果を発揮できる状態になるのを待って、オゾンを室内に提供することができ、効果的に室内を殺菌・消臭することができる。
【００３１】
請求項１０の発明は、請求項１〜９のいずれかに記載の空調装置の設置場所が、浴室、脱衣所およびトイレのいずれかであることを特徴とした。
【００３２】
これにより請求項１０の空調装置は、衛生的であることが求められる浴室、脱衣所またはトイレを効果的に殺菌・消臭することができる。
【発明の効果】
【００３３】
本発明の空調装置は、オゾン濃度検出装置等を用いない簡易な構成によって、停電の発生やブレーカーによる通電の遮断等により室内のオゾン濃度が人体に対して有害なレベルにまで上昇するのを防止することができる。
【発明を実施するための最良の形態】
【００３４】
次に本発明の実施形態について図面を参照しながら詳細に説明する。図１は、本実施形態に係る浴室空調装置が設置された浴室を示す斜視図である。図２は、本実施形態に係る浴室空調装置の作動原理図である。
【００３５】
［全体構成］
図１に示すように本実施形態の浴室空調装置１は、装置本体２とリモコン３とを備えている。装置本体２は、浴室Ａの壁面に設置されるものであり、配管５を介して屋外に設置された暖房用熱源機６と接続されている。また浴室空調装置１は、リモコン３によって、運転モードの切り替えや、空気の吹出方向の調整などの操作が行なわれる。
【００３６】
図２に示すように装置本体２は、本体ケース８内に、熱交換器１０（加熱手段）、循環ファン１１（送風手段）、オゾン発生ユニット１２（オゾン発生手段）、換気ファン（図示せず）、熱交サーミスタ１５（温度検知手段）、室温サーミスタ（図示せず）、コントローラ１７（制御手段）等を内蔵している。
【００３７】
図１に示すように本体ケース８は、フロントカバー１８によって前面側が覆われている。装置本体２の上面には、浴室Ａ内の空気を装置本体２内に吸い込む吸気口２０が設けられ、装置本体２の前面下方には、温度または湿度を調整した空気を浴室Ａに吹き出すための吹出口２１が設けられている。そして装置本体２内には、吸気口２０から吹出口２１に到る一連の空気流路である循環流路２２が形成されている。図２に示すように循環流路２２には、熱交換器１０、循環ファン１１、オゾン発生ユニット１２、熱交サーミスタ１５が配置されている。
【００３８】
熱交換器１０は、吸気口２０の下流側に配置されており、配管５を介して屋外に設置される暖房用熱源機６と接続される。そのため熱交換器１０は、暖房用熱源機６から供給された温水と吸気口２０から吸い込まれた空気との間で熱交換を行ない、吸気口２０から吸い込まれた空気を加熱することができる。
【００３９】
循環ファン１１は、熱交換器１０の下流側に配置されており、熱交換器１０によって加熱された空気を吹出口２１から浴室Ａ内に吹き出させることができる。オゾン発生ユニット１２は、熱交換器１０の下流側であって吹出口２１の上流側に配置されている。
そのため浴室空調装置１は、オゾン発生ユニット１２で発生したオゾンを、熱交換器１０によって加熱された空気とともに浴室Ａ内に吹き出させることができる。
【００４０】
熱交サーミスタ１５は、熱交換器１０または熱交換器１０近傍に取り付けられ、熱交換器１０または熱交換器１０近傍の温度を検知することができる。一方、室温サーミスタは、吸気口２０と熱交換器１０との間であって吸気口２０近傍に取り付けられており、吸気口２０から吸い込まれる空気の温度、即ち浴室Ａの温度を検知することができる。
【００４１】
装置本体２の吹出口２１には、空気の吹出方向を調節するルーバー２３が取り付けられている。ルーバー２３にはルーバー用モータ２５が取り付けられており、ルーバー２３の角度を調整して空気の吹出方向を調整することができる。
【００４２】
装置本体２の背面には、吸気口２０から吸い込まれた空気を浴室Ａの外部に排気するための排気口（図示せず）が設けられている。そして装置本体２内には、循環流路２２とは別に、吸気口２０から排出口に到る一連の空気流路である排気流路（図示せず）が形成されている。換気ファンは、この排気流路内に配置され、浴室Ａ内の空気を吸気口から吸い込み、吸い込んだ空気を排気口から浴室Ａの外部に排気することができる。また排気口には、外部の風雨が浴室Ａ内に入り込まないように逆風ダンパー（図示せず）が設けられている。
【００４３】
コントローラ１７は、マイクロコンピュータ等を利用した制御装置である。コントローラ１７には、リモコン３からの操作信号、熱交サーミスタ１５の信号、および室温サーミスタの信号等が入力される。またコントローラ１７からは、リモコン３、循環ファン１１、換気ファン、暖房用熱源機６およびオゾン発生ユニット１２への信号等が出力される。
【００４４】
本実施形態のコントローラ１７は、タイマー機能を備えており、オゾン発生ユニット１２におけるオゾンの発生が制限される時間を計測することができる。このタイマーの設定時間は、固定的なものであり、出荷時または調整時に設定される。
【００４５】
［使用方法］
本実施形態の浴室空調装置１は、暖房運転モード、涼風運転モード、乾燥運転モード、および換気運転モード等の運転モードを備えており、リモコン３により各運転モードの切替操作を行うことができる。
【００４６】
暖房運転モードは、冬場の入浴を快適にするために浴室Ａ内の空気を加熱しながら循環させる運転モードであり、暖房能力を最大にして浴室Ａ内を急速に暖める急暖運転モードをさらに有する。涼風運転モードは、夏場の入浴を快適にするために浴室Ａ内の空気を加熱することなく循環させる運転モードである。
【００４７】
また乾燥運転モードは、浴室Ａ内のカビの発生を抑えるために、あるいは浴室Ａ内に干した洗濯物などを乾燥させるために、浴室Ａ内の空気を加熱しながら排気する運転モードであり、換気運転モードは、浴室Ａ内の空気を加熱することなく排気する運転モードである。
【００４８】
浴室空調装置１は、乾燥運転モードおよび急暖運転モードにおいてオゾンを発生し、オゾンを浴室Ａ内に供給して浴室Ａ内を殺菌・消臭する。乾燥運転中、オゾンは連続的に浴室Ａ内に提供される。乾燥運転モードでは、浴室Ａ内の空気が換気されるため、オゾンを連続的に提供しても浴室Ａ内のオゾン濃度が人体に有害なレベルまで上昇するおそれがない。
【００４９】
一方、急暖運転中は、浴室Ａ内の空気が換気されない。そのため急暖運転モードでは、浴室Ａ内のオゾン濃度が上昇しやすい。
浴室空調装置１は、急暖運転中、連続的にではなく間欠的にオゾンを発生することにより、浴室Ａ内のオゾン濃度が人体に有害なレベルにまで上昇するのを防止する。また浴室空調装置１は、所定時間以上の急暖運転が実施された後、急暖運転が停止されると、所定時間（本実施形態では３０分）だけオゾンの発生を禁止するオゾン発生禁止状態になり、浴室Ａ内のオゾン濃度が上昇するのを防止する。
【００５０】
本実施形態の浴室空調装置１では、乾燥運転や急暖運転によって浴室Ａ内のオゾン濃度がある程度高められた状態において、ブレーカー７による通電の遮断や停電の発生等で、浴室空調装置１への電力の供給が一時的に中断される事態が想定される。このような場合、換気やオゾンの自然分解によって浴室Ａ内のオゾン濃度が低下する前に、電力の供給が再開されて再びオゾンが浴室Ａ内に提供されると、浴室Ａ内のオゾン濃度が人体に対して有害なレベルにまで上昇してしまうおそれがある。
【００５１】
そこで本実施形態の浴室空調装置１は、装置本体２への電力の供給が開始された場合、下記のようにオゾンの発生を制限し、浴室Ａ内のオゾンの濃度が人体に対して有害なレベルにまで上昇するのを防止する。以下、浴室空調装置１の動作について、図３，４のフローチャート図を参照しながら詳細に説明する。図３は、本実施形態に係る浴室空調装置のオゾン発生制御フローを示すフローチャート図であり、図４は、図３に示す制御フローのサブルーチンである高濃度オゾン防止制御フローを示すフローチャート図である。
【００５２】
［オゾン発生制御］
図３のステップ１では、浴室Ａ内のオゾン濃度が人体に対して有害なレベルにまで上昇するのを防止する高濃度オゾン防止制御が行なわれる。高濃度制御フローは、制御フローが図４に示すサブルーチンに移行され、このサブルーチンに則って高濃度オゾン防止制御が行なわれる。
【００５３】
｛高濃度オゾン防止制御｝
サブルーチンのステップ１−１では、浴室空調装置１に対して電力の供給が開始されたか否かが判断される。浴室空調装置１に対して電力の供給が開始されると、制御フローはステップ１−２に移行される。
【００５４】
ステップ１−２では、浴室空調装置１がオゾン発生ユニット１２におけるオゾンの発生を禁止するオゾン発生禁止状態になる。これによりオゾン発生ユニット１２は、リモコン３で乾燥運転モードや急暖運転モードが選択されてオゾンの発生要求があっても、オゾンを発生しない。そして制御フローはステップ１−３に移行される。
【００５５】
ステップ１−３では、熱交サーミスタ１５による検知温度が所定の制限温度（本実施形態では２０℃）よりも低いか否かが判断される。そして検知温度が制限温度よりも低い場合、制御フローはステップ１−５に移行される。また検知温度が制限温度よりも高い場合、制御フローはステップ１−４に移行される。
【００５６】
ステップ１−４では、浴室空調装置１がオゾン発生禁止状態になってから所定時間（本実施形態では３０分）が経過したか否かが判断される。オゾン発生禁止状態の開始から所定時間が経過した場合、制御フローはステップ１−５に移行される。またオゾン発生禁止状態の開始から所定時間が経過していない場合、制御フローはステップ１−３に戻され、オゾン発生ユニット１２のオゾン発生禁止状態を維持する。
【００５７】
ステップ１−５では、浴室空調装置１のオゾン発生禁止状態が解除される。これによりオゾン発生ユニット１２は、リモコン３から乾燥運転モードや急暖運転モードの選択によるオゾンの発生要求があるとオゾンを発生できる状態になり、高濃度オゾン防止制御が終了する。高濃度オゾン防止制御が終了すると、制御フローは図３のメインルーチンに戻され、ステップ２へと進められる。
【００５８】
メインルーチンのステップ２では、オゾンを発生させる発生要求があるか否かが判断される。即ちステップ２では、リモコン３によってオゾンを浴室Ａ内に供給する乾燥運転モードや急暖運転モードが選択されたか否かが判断される。そしてオゾンの発生要求があると、制御フローはステップ３に移行される。
【００５９】
ステップ３では、熱交サーミスタ１５による検知温度が所定のオゾン発生温度（本実施形態では４５℃）よりも高いか否かが判断される。ここで、オゾンは高温であるほど殺菌等の効果を発揮することができるとされる。そのためオゾンとともに浴室Ａ内に吹き出される空気が低温であれば、オゾンも低温になってしまい、殺菌等の効果を充分に発揮することが難しい。逆に浴室Ａ内に吹き出される空気が高温であれば、オゾンも高温になり、殺菌等の効果を充分に発揮することができる。即ち、ステップ３では、浴室Ａ内に吹き出される空気がオゾンの効果を充分に発揮できる温度にあるか否かが判断される。
そして検知温度がオゾン発生温度よりも高い場合、制御フローはステップ４に移行され、検知温度がオゾン発生温度よりも低い場合、制御フローはステップ２に戻される。
【００６０】
ステップ４では、オゾン発生ユニット１２におけるオゾンの発生が開始される。即ち、浴室Ａ内に吹き出される空気がオゾンの効果を充分に発揮できるオゾン発生温度にまで加熱されると、コントローラ１７によってオゾン発生ユニット１２が起動され、オゾンの発生が開始される。オゾンが発生すると、浴室空調装置１は、加熱された空気とともにオゾンを浴室Ａ内に供給する。そしてオゾン発生ユニット１２におけるオゾンの発生が開始されると、制御フローはステップ５に移行される。
【００６１】
ステップ５では、熱交サーミスタ１５による検知温度が所定のオゾン停止温度（本実施形態では４０℃）よりも低いか否かが判断される。即ちステップ５では、浴室Ａ内に吹き出される空気の温度が、低下していないかどうかが確認される。そして検知温度がオゾン停止温度よりも低い場合、オゾンが殺菌等の効果を充分に発揮できないため、制御フローがステップ７に移行されてオゾンの発生が停止される。また検知温度がオゾン停止温度よりも高い場合、制御フローはステップ６に移行される。
【００６２】
ステップ６では、オゾンの発生を停止させる停止要求があるか否かが判断される。即ちステップ６では、リモコン３において浴室空調装置１の運転の停止操作や運転モードの切替操作がされ、オゾン発生を停止させる停止要求があったか否かが判断される。そして停止要求があると、制御フローはステップ７に移行され、オゾンの発生が停止される。また停止要求がない場合、制御フローはステップ５に戻される。
【００６３】
ステップ７では、オゾン発生ユニット１２におけるオゾンの発生が停止される。即ち浴室空調装置１は、熱交サーミスタ１５の検知温度が４０℃よりも低くなるか、オゾン発生の停止要求があると、オゾン発生ユニット１２におけるオゾンの発生を停止させる。そしてオゾンの発生が停止されると、制御フローはステップ２に戻され、次回のオゾン発生要求を待つ。
【００６４】
［本発明の特徴］
上記のように本実施形態の浴室空調装置１は、電力の供給が開始されると、オゾン発生ユニット１２を、所定時間（本実施形態では３０分）オゾンを発生できないオゾン発生禁止状態にする。オゾン発生ユニット１２がオゾン発生禁止状態にある間、浴室Ａ内は換気やオゾンの自然分解により、オゾン濃度が低下する。そのため浴室空調装置１は、この所定時間経過後にオゾンを浴室Ａ内に提供しても、浴室Ａ内のオゾン濃度を人体に対して有害なレベルにまで上昇させない。
【００６５】
また本実施形態の浴室空調装置１は、熱交サーミスタ１５の検知温度が制限温度（本実施形態では２０℃）よりも低いことを条件に、オゾン発生ユニット１２のオゾン発生禁止状態を解除する。即ち、熱交換器１０または熱交換器１０近傍の温度が低いと、前回のオゾンの発生から充分に時間が経過しており、浴室Ａ内のオゾン濃度は安全な濃度にまで低下しているとみなされ、オゾン発生禁止状態が解除される。したがって、浴室空調装置１は、必要以上にオゾンの発生が制限されるのを防止することができる。
【００６６】
上記のように本実施形態の浴室空調装置１は、オゾンの発生要求があると熱交サーミスタ１５の検知温度が所定のオゾン発生温度（本実施形態では４５℃）以上になることを条件に、オゾン発生ユニット１２におけるオゾンの発生を開始する。またオゾンの発生開始後は、熱交サーミスタ１５の検知温度が所定のオゾン停止温度（本実施形態では４０℃）よりも低くなれば、リモコン３からオゾンの発生を停止させる停止要求がなくても、オゾンの発生を停止させる。即ち、本実施形態の浴室空調装置１は、オゾンとともに浴室Ａ内に吹き出される空気が、オゾンの殺菌等の効果を充分に発揮させる温度の場合のみオゾンを発生させる。したがって、本実施形態の浴室空調装置１は、効果的に浴室Ａ内を殺菌・消臭することができる。
【００６７】
また本実施形態の浴室空調装置１は、仮に熱交サーミスタ１５が故障して検知温度が一定の温度に固着されても、浴室Ａ内のオゾン濃度が有害なレベルにまで上昇するのを防止することができる。
具体的に説明すると、熱交サーミスタ１５が制限温度（２０℃）以上の温度で固着故障した場合、浴室空調装置１は、図４のステップ１−４で所定時間（３０分）内のオゾンの発生が禁止されるため、浴室Ａ内のオゾン濃度が有害なレベルまで上昇するのを防止することができる。
一方、熱交サーミスタ１５が制限温度（２０℃）より低い温度で固着故障した場合、浴室空調装置１のオゾン発生禁止状態は、図４のサブルーチンのステップ１−５で解除される。しかし、熱交サーミスタ１５の検知温度がオゾン発生温度（４５℃）よりも低いことから、制御フローが図３のステップ４に移行することはなく、浴室空調装置１ではオゾンが発生しない。そのため浴室空調装置１は、この場合も浴室Ａ内のオゾン濃度が人体に有害なレベルまで上昇するのを防止することができる。
【００６８】
また本実施形態の浴室空調装置１は、空気を加熱する乾燥運転または暖房運転においてオゾンを発生し、オゾンを加熱された高温の空気に混合させて浴室Ａ内に供給する。オゾンは高温であるほど殺菌等の効果を発揮することができるため、本実施形態の浴室空調装置１は、殺菌等の効果が充分に発揮される状態でオゾンを浴室Ａ内に提供することができる。
【００６９】
［他の実施形態］
上記実施形態の浴室空調装置１は、オゾンの発生を禁止する時間の計測を、浴室空調装置１への電力の供給が開始された時点から開始したが、本発明はこのような構成に限られるわけではない。オゾンの発生を禁止する時間の計測は、少なくとも前回のオゾン発生終了後に開始されればよい。
【００７０】
例えば図５に示すように、オゾン発生ユニット１２を駆動させるオゾン駆動回路２６と、公知の積分回路であるタイマー回路２７とを並列に接続し、オゾン発生終了後からの経過時間を電気的に計時することによってオゾンの発生を禁止してもよい。
【００７１】
タイマー回路２７は、オゾン発生ユニット１２の駆動中に蓄電するコンデンサ３２を備える。またタイマー回路２７は、出力側にコントローラ１７、より具体的にはコントローラ１７の図示しないマイクロコンピュータのＡ／Ｄ変換入力端子が接続されており、コントローラ１７は、タイマー回路２７からの入力電圧を監視することができる。オゾン駆動回路２６は、スイッチとして機能するトランジスタ２８を有し、コントローラ１７によってトランジスタのＯＮ／ＯＦＦが制御される。トランジスタ２８がＯＮ状態の場合には、オゾン発生ユニット１２が駆動し、オゾン発生ユニット１２からオゾンが発生する。
【００７２】
そしてオゾン駆動回路２６のトランジスタがＯＦＦ状態になったり、停電等により電力の供給が断たれると、タイマー回路２７のトランジスタ３０，３１はＯＦＦ状態になり、コンデンサ３２は放電を開始する。そしてコントローラ１７への入力電圧は、図６のグラフに示すように時間とともに低下する。そのためコントローラ１７の入力電圧が所定の閾値以下になるまでオゾンの発生を禁止すれば、一定時間オゾンの発生を禁止することができる。
【００７３】
このような構成によれば、停電等で浴室空調装置１への電力の供給がない間であっても、特別なバックアップ電源を備えることなくオゾン発生を禁止する時間を計時することができる。またオゾン発生終了時を時間計測の始点とするため、浴室Ａ内のオゾン濃度が安全な濃度に低下するまでの時間を正確に計測することができ、オゾンの発生が必要以上に制限されるのを防止することができる。
【００７４】
なお、入力電圧の閾値、コンデンサおよび抵抗の大きさについては、オゾンの発生を禁止する時間に基づいて設定される。また上記のように電気的構成ではなく、機械的構成によってオゾン発生終了時からの経過時間を計時させてもよい。
【００７５】
上記実施形態の浴室空調装置１では、制限温度およびオゾンの発生が制限される時間を、それぞれ２０℃および３０分と設定したが、本発明はこのような数値に限定されるわけではない。制限温度およびオゾンの発生を制限する時間は、室内のオゾンの濃度が、安全な濃度にまで低下することが想定できる温度および時間であればよく、室内の大きさ、気密性、温度、湿度、換気条件等を考慮して適宜設定することができる。特にオゾンの発生が制限される時間については、少なくとも５分以上であれば室内のオゾン濃度を人体に影響がない程度にまで低下させることができ、６０分以内であれば、使用が制限されて日常生活に影響をあたえることもない。
【００７６】
またオゾン発生温度およびオゾン停止温度についても、上記実施形態では、４５℃および４０℃に設定されたが、本発明はこれらの温度に限定されるわけではない。これらの温度についても、設置条件等を考慮して適宜設定することができる。
【００７７】
上記実施形態の浴室空調装置１は、電力の供給が開始された後、所定時間だけオゾン発生ユニット１２におけるオゾンの発生を禁止することによりオゾンの発生を制限した。しかし本発明は、このような構成に限定されるわけではない。オゾンの発生を制限する手法としては、例えば電力の供給が開始された後、所定時間内においては、オゾンの単位時間当たりの発生量が少量になるようにオゾン発生ユニット１２を制限してもよい。また所定時間のうちオゾン発生ユニット１２が駆動する時間を短くし、残りの時間はオゾン発生ユニット１２を停止させることによりオゾンの発生量を制限してもよい。
【００７８】
上記実施形態の浴室空調装置１は、壁面に設置される構成であったが、本発明はこのような構成に限定されるわけではない。例えば、天井内に配置される構成であってもよい。
【００７９】
上記実施形態の浴室空調装置１は浴室Ａに設置されたが、本発明の空調装置は、設置場所が浴室に限定されているわけではない。本発明の空調装置は、衛生的であることが求められる空間への設置が特に推奨される。例えば浴室以外では、脱衣所、トイレなどに設置されることが望ましい。
【００８０】
また上記実施形態の浴室空調装置１では、熱交換器１０が加熱手段として用いられたが、本発明はこのような構成に限定されるわけではない。加熱手段は、空気を所定の温度に昇温することができればよく、例えばセラミックヒータ等を用いることができる。
【図面の簡単な説明】
【００８１】
【図１】本実施形態に係る浴室空調装置が設置された浴室を示す斜視図である。
【図２】本実施形態に係る浴室空調装置の作動原理図である。
【図３】本実施形態に係る浴室空調装置のオゾン発生制御フローを示すフローチャート図である。
【図４】図３に示す制御フローのサブルーチンである高濃度オゾン防止制御フローを示すフローチャート図である。
【図５】他の実施形態に係る浴室空調装置の回路構成図である。
【図６】タイマー回路からコントローラへの入力電圧を示すグラフである。
【符号の説明】
【００８２】
１    浴室空調装置（空調装置）
１０  熱交換器（加熱手段）
１１  循環ファン（送風手段）
１２  オゾン発生ユニット（オゾン発生手段）
１５  熱交サーミスタ（温度検知手段）
１７  コントローラ（制御手段）
２７  タイマー回路
３２  コンデンサ
Ａ    浴室
【図１】
2009058155.tif 000003
【図２】
2009058155.tif 000004
【図３】
2009058155.tif 000005
【図４】
2009058155.tif 000006
【図５】
2009058155.tif 000007
【図６】
2009058155.tif 000008